(57)【要約】【課題】チェーン式の昇降装置を備えた杭打機のリーダを標準仕様と短尺仕様とに効率よく組み換えることができ、作業性の向上を図ることができる杭打機のリーダ組換方法を提供する。【解決手段】リーダを、ベースマシンの前部に取り付けられた下部リーダ２１と中間リーダ２２と上部リーダ２３とに分割形成し、上部リーダ２３や中間リーダ２２、起伏シリンダ１５の取り外し作業や交換作業時には、シリンダサポート３７やリーダサポート３８，３９及びリーダ固定アーム４０によってリーダや起伏シリンダを支持した状態でそれぞれ行う。下部リーダ２１と中間リーダ２２及び上部リーダ２３の連結及び連結解除時には、昇降チェーン３２をチェーンストッパ３６にて適宜リーダの上部に仮止めし、リーダの仕様に応じた長さに調整する。【選択図】図１
2010047995.tif 000002
【特許請求の範囲】
【請求項１】
ベースマシンの前部に設けたリーダを起伏シリンダにより起伏可能に支持し、前記リーダに昇降可能に装着された作業装置を該リーダの上端部に取り付けられた上部スプロケットとリーダの下端部に設けられた下部スプロケットとに掛け渡した昇降チェーンによって昇降させる杭打機の前記リーダ及び起伏シリンダを、他の仕様のリーダ及び起伏シリンダに組み換える杭打機のリーダ組換方法において、前記リーダを、前記ベースマシンの前部に設けた幅方向の支軸を介して該ベースマシンの前部に回動可能に取り付けられた下部リーダと、該下部リーダの上部に連結される上部リーダ部材とに分割形成し、前記作業装置を前記下部リーダまで下降させた状態で前記起伏シリンダを短縮させ、該起伏シリンダと共に前記リーダを前記支軸を回動中心としてベースマシンの上方に傾斜させ、前記支軸より下方のベースマシンの前部と傾斜状態の下部リーダの下部との間にリーダサポートを取り付けてリーダを傾斜状態に保持し、該傾斜状態で前記昇降チェーンをチェーンストッパにて仮止めしながら、前記上部リーダ部材及び上部スプロケットを着脱し、上部リーダ部材を着脱した後のリーダの長さに合わせて前記起伏シリンダを交換するとともに前記昇降チェーンの長さを調節することを特徴とする杭打機のリーダ組換方法。
【請求項２】
ベースマシンの前部に設けたリーダを起伏シリンダにより起伏可能に支持し、前記リーダに昇降可能に装着された作業装置を該リーダの上端部に取り付けられた上部スプロケットとリーダの下端部に設けられた下部スプロケットとに掛け渡した昇降チェーンによって昇降させる杭打機の前記リーダ及び起伏シリンダを、他の仕様のリーダ及び起伏シリンダに組み換える杭打機のリーダ組換方法において、
前記リーダを、前記ベースマシンの前部に設けた幅方向の支軸を介して該ベースマシンの前部に回動可能に取り付けられた下部リーダと、該下部リーダの上部に連結されて後面に起伏シリンダが連結される中間リーダと、該中間リーダの上部に連結されて上端部に前記上部スプロケットが取り付けられた長尺用の上部リーダとを有する長尺仕様のリーダから、前記下部リーダの上部に短尺用の上部リーダを連結した短尺仕様のリーダに組み換えるとともに、前記起伏シリンダを長尺用の起伏シリンダから短尺用の起伏シリンダに交換する際には、
前記作業装置を下部リーダまで下降させる段階と、
前記長尺用の起伏シリンダを短縮させて該起伏シリンダと共に前記リーダを前記支軸を回動中心としてベースマシンの上方に傾斜させる段階と、
前記作業装置の上部側に連結された昇降チェーンの一端を取り外し、前記上部スプロケットから昇降チェーンを取り外すとともに、上部リーダから上部スプロケットを取り外す段階と、
前記上部リーダを吊り下げて保持した状態で上部リーダと中間リーダとの連結を解除した後、上部リーダを吊り上げて中間リーダから取り外すとともに、中間リーダの上端部にチェーンストッパを取り付けて前記昇降チェーンを仮止めする段階と、
前記ベースマシンにシリンダサポートを設置する段階と、
前記支軸より下方のベースマシンの前部にリーダサポートを取り付ける段階と、
前記下部リーダの下部を吊り下げて下部リーダと中間リーダとの連結体の傾斜状態を保持しながら、中間リーダの後面から前記起伏シリンダを取り外し、前記シリンダサポートによって起伏シリンダを支持する段階と、
下部リーダの下部を前記リーダサポートにて支持する段階と、
前記中間リーダを吊り下げて保持した状態で中間リーダと下部リーダとの連結を解除し、中間リーダの上端部からチェーンストッパを取り外し、中間リーダを吊り上げて下部リーダから取り外すとともに、下部リーダの上端部にチェーンストッパを取り付けて前記昇降チェーンを仮止めするとともに、該昇降チェーンを短尺仕様のリーダに対応した長さに調節する段階と、
前記長尺用の起伏シリンダをベースマシンから取り外した後、短尺用の起伏シリンダをベースマシンに取り付けて前記シリンダサポートによって支持する段階と、
短尺用の上部リーダを吊り込んで該上部リーダ内に前記昇降チェーンを送り込み、上部リーダの上端から引き出した昇降チェーンを上部リーダの上端部にチェーンストッパを取り付けて仮止めする段階と、
短尺用の上部リーダの上端部からチェーンストッパを取り外すとともに上部リーダの上端部に上部スプロケットを取り付け、該上部スプロケットに昇降チェーンを掛け回して一端を前記作業装置の上部側に連結する段階と、
上部リーダの後面に起伏シリンダを連結する段階と、
下部リーダと上部リーダとを連結した短尺仕様のリーダを短尺用の起伏シリンダにて支持した状態で前記リーダサポート及び前記シリンダサポートをベースマシンから取り外す段階と
を含むことを特徴とする杭打機のリーダ組換方法。
【請求項３】
ベースマシンの前部に設けたリーダを起伏シリンダにより起伏可能に支持し、前記リーダに昇降可能に装着された作業装置を該リーダの上端部に取り付けられた上部スプロケットとリーダの下端部に設けられた下部スプロケットとに掛け渡した昇降チェーンによって昇降させる杭打機の前記リーダ及び起伏シリンダを、他の仕様のリーダ及び起伏シリンダに組み換える杭打機のリーダ組換方法において、
前記リーダを、前記ベースマシンの前部に設けた幅方向の支軸を介して該ベースマシンの前部に回動可能に取り付けられた下部リーダと、該下部リーダの上部に連結されて後面に起伏シリンダが連結される中間リーダと、該中間リーダの上部に連結されて上端部に前記上部スプロケットが取り付けられた長尺用の上部リーダとを有する長尺仕様のリーダから、前記下部リーダのみを使用した短尺仕様のリーダに組み換えるとともに、前記起伏シリンダを長尺用の起伏シリンダから短尺用の起伏シリンダに交換する際には、
前記作業装置を下部リーダまで下降させる段階と、
前記長尺用の起伏シリンダを短縮させて該起伏シリンダと共に前記リーダを前記支軸を回動中心としてベースマシンの上方に傾斜させる段階と、
前記作業装置の上部側に連結された昇降チェーンの一端を取り外し、前記上部スプロケットから昇降チェーンを取り外すとともに、上部リーダから上部スプロケットを取り外す段階と、
前記上部リーダを吊り下げて保持した状態で上部リーダと中間リーダとの連結を解除した後、上部リーダを吊り上げて中間リーダから取り外すとともに、中間リーダの上端部にチェーンストッパを取り付けて前記昇降チェーンを仮止めする段階と、
前記ベースマシンにシリンダサポートを設置する段階と、
前記支軸より下方のベースマシンの前部にリーダサポートを取り付ける段階と、
前記下部リーダの下部を吊り下げて下部リーダと中間リーダとの連結体の傾斜状態を保持しながら、中間リーダの後面から前記起伏シリンダを取り外し、前記シリンダサポートによって起伏シリンダを支持する段階と、
下部リーダの下部を前記リーダサポートにて支持する段階と、
前記中間リーダを吊り下げて保持した状態で中間リーダと下部リーダとの連結を解除し、中間リーダの上端部からチェーンストッパを取り外し、中間リーダを吊り上げて下部リーダから取り外すとともに、下部リーダの上端部にチェーンストッパを取り付けて前記昇降チェーンを仮止めするとともに、該昇降チェーンを短尺仕様のリーダに対応した長さに調節する段階と、
前記長尺用の起伏シリンダをベースマシンから取り外した後、短尺用の起伏シリンダをベースマシンに取り付けて前記シリンダサポートによって支持する段階と、
下部リーダの上端部からチェーンストッパを取り外すとともに下部リーダの上端部に上部スプロケットを取り付け、該上部スプロケットに昇降チェーンを掛け回して一端を前記作業装置の上部側に連結する段階と、
下部リーダの後面に起伏シリンダを連結する段階と、
下部リーダのみからなる短尺仕様のリーダを短尺用の起伏シリンダにて支持した状態で前記リーダサポート及び前記シリンダサポートをベースマシンから取り外す段階と
を含むことを特徴とする杭打機のリーダ組換方法。
【発明の詳細な説明】
【技術分野】
【０００１】
本発明は、杭打機のリーダ組換方法に関し、詳しくは、リーダに装着した作業装置を昇降チェーンによって昇降させるチェーン式の昇降装置を備えたリーダを、長尺リーダと短尺リーダとに組み換える方法に関する。
【背景技術】
【０００２】
近年、橋の下や工場内などの高さに制限のある場所で杭打ち作業を行うケースが増えたことから、短尺リーダを備えた杭打機が求められ、標準の長尺リーダを備えた杭打機を短尺リーダに組み換えて使用できるものが提案されている。リーダの組み換え方法としては、長尺リーダ及び長尺用起伏シリンダとは別に、専用の短尺リーダ及び短尺用起伏シリンダを用意し、リーダ及び起伏シリンダの一式を組み換える方法や、長尺リーダを短尺でも使用できるように予め分割可能に形成しておき、長尺リーダを短尺用に組み換えるとともに、長尺用起伏シリンダを短尺用起伏シリンダに取り換える方法がある。例えば、ラック・ピニオン式の昇降装置を備えた杭打機では、リーダを、ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、リーダの組換時には、下部リーダと中間リーダとの間にリーダサポートを取り付けて中間リーダより上部側を支持するとともに、ベースマシンに設置したシリンダサポートで起伏シリンダを支持することにより、リーダ及び起伏シリンダの組み換えを効率よく行えるようにしたリーダ組換方法が提案されている（例えば、特許文献１参照。）。
【特許文献１】特開２００７−１８２７１６号公報
【発明の開示】
【発明が解決しようとする課題】
【０００３】
しかし、上述の特許文献１のものでは、ラック・ピニオン式の昇降装置を備えた杭打機のリーダ組換方法としては有効であるものの、チェーン式の昇降装置を備えた杭打機では、下部リーダと中間リーダとの間を切り離して中間リーダをベースマシン上に倒伏させることはできず、また、リーダの組み換え時に昇降チェーンがリーダ内に引き込まれるおそれなどがあり、このようなラック・ピニオン式についての組換方法をチェーン式の昇降装置を備えた杭打機のリーダの組み換えに適用することはできなかった。
【０００４】
そこで本発明は、チェーン式の昇降装置を備えた杭打機のリーダを長尺仕様のリーダと短尺仕様のリーダとに効率よく組み換えることができ、作業性の向上を図ることができる杭打機のリーダ組換方法を提供することを目的としている。
【課題を解決するための手段】
【０００５】
上記目的を達成するため、本発明の杭打機のリーダ組換方法は、ベースマシンの前部に設けたリーダを起伏シリンダにより起伏可能に支持し、前記リーダに昇降可能に装着された作業装置を該リーダの上端部に取り付けられた上部スプロケットとリーダの下端部に設けられた下部スプロケットとに掛け渡した昇降チェーンによって昇降させる杭打機の前記リーダ及び起伏シリンダを、他の仕様のリーダ及び起伏シリンダに組み換える杭打機のリーダ組換方法において、前記リーダを、前記ベースマシンの前部に設けた幅方向の支軸を介して該ベースマシンの前部に回動可能に取り付けられた下部リーダと、該下部リーダの上部に連結される上部リーダ部材とに分割形成し、前記作業装置を前記下部リーダまで下降させた状態で前記起伏シリンダを短縮させ、該起伏シリンダと共に前記リーダを前記支軸を回動中心としてベースマシンの上方に傾斜させ、前記支軸より下方のベースマシンの前部と傾斜状態の下部リーダの下部との間にリーダサポートを取り付けてリーダを傾斜状態に保持し、該傾斜状態で前記昇降チェーンをチェーンストッパにて仮止めしながら、前記上部リーダ部材及び上部スプロケットを着脱し、上部リーダ部材を着脱した後のリーダの長さに合わせて前記起伏シリンダを交換するとともに前記昇降チェーンの長さを調節することを特徴としている。
【０００６】
また、ベースマシンの前部に設けたリーダを起伏シリンダにより起伏可能に支持し、前記リーダに昇降可能に装着された作業装置を該リーダの上端部に取り付けられた上部スプロケットとリーダの下端部に設けられた下部スプロケットとに掛け渡した昇降チェーンによって昇降させる杭打機の前記リーダ及び起伏シリンダを、他の仕様のリーダ及び起伏シリンダに組み換える杭打機のリーダ組換方法において、
前記リーダを、前記ベースマシンの前部に設けた幅方向の支軸を介して該ベースマシンの前部に回動可能に取り付けられた下部リーダと、該下部リーダの上部に連結されて後面に起伏シリンダが連結される中間リーダと、該中間リーダの上部に連結されて上端部に前記上部スプロケットが取り付けられた長尺用の上部リーダとを有する長尺仕様のリーダから、前記下部リーダの上部に短尺用の上部リーダを連結した短尺仕様のリーダに組み換えるとともに、前記起伏シリンダを長尺用の起伏シリンダから短尺用の起伏シリンダに交換する際には、
前記作業装置を下部リーダまで下降させる段階と、
前記長尺用の起伏シリンダを短縮させて該起伏シリンダと共に前記リーダを前記支軸を回動中心としてベースマシンの上方に傾斜させる段階と、
前記作業装置の上部側に連結された昇降チェーンの一端を取り外し、前記上部スプロケットから昇降チェーンを取り外すとともに、上部リーダから上部スプロケットを取り外す段階と、
前記上部リーダを吊り下げて保持した状態で上部リーダと中間リーダとの連結を解除した後、上部リーダを吊り上げて中間リーダから取り外すとともに、中間リーダの上端部にチェーンストッパを取り付けて前記昇降チェーンを仮止めする段階と、
前記ベースマシンにシリンダサポートを設置する段階と、
前記支軸より下方のベースマシンの前部にリーダサポートを取り付ける段階と、
前記下部リーダの下部を吊り下げて下部リーダと中間リーダとの連結体の傾斜状態を保持しながら、中間リーダの後面から前記起伏シリンダを取り外し、前記シリンダサポートによって起伏シリンダを支持する段階と、
下部リーダの下部を前記リーダサポートにて支持する段階と、
前記中間リーダを吊り下げて保持した状態で中間リーダと下部リーダとの連結を解除し、中間リーダの上端部からチェーンストッパを取り外し、中間リーダを吊り上げて下部リーダから取り外すとともに、下部リーダの上端部にチェーンストッパを取り付けて前記昇降チェーンを仮止めするとともに、該昇降チェーンを短尺仕様のリーダに対応した長さに調節する段階と、
前記長尺用の起伏シリンダをベースマシンから取り外した後、短尺用の起伏シリンダをベースマシンに取り付けて前記シリンダサポートによって支持する段階と、
短尺用の上部リーダを吊り込んで該上部リーダ内に前記昇降チェーンを送り込み、上部リーダの上端から引き出した昇降チェーンを上部リーダの上端部にチェーンストッパを取り付けて仮止めする段階と、
短尺用の上部リーダの上端部からチェーンストッパを取り外すとともに上部リーダの上端部に上部スプロケットを取り付け、該上部スプロケットに昇降チェーンを掛け回して一端を前記作業装置の上部側に連結する段階と、
上部リーダの後面に起伏シリンダを連結する段階と、
下部リーダと上部リーダとを連結した短尺仕様のリーダを短尺用の起伏シリンダにて支持した状態で前記リーダサポート及び前記シリンダサポートをベースマシンから取り外す段階と
を含むことを特徴としている。
【０００７】
さらに、ベースマシンの前部に設けたリーダを起伏シリンダにより起伏可能に支持し、前記リーダに昇降可能に装着された作業装置を該リーダの上端部に取り付けられた上部スプロケットとリーダの下端部に設けられた下部スプロケットとに掛け渡した昇降チェーンによって昇降させる杭打機の前記リーダ及び起伏シリンダを、他の仕様のリーダ及び起伏シリンダに組み換える杭打機のリーダ組換方法において、
前記リーダを、前記ベースマシンの前部に設けた幅方向の支軸を介して該ベースマシンの前部に回動可能に取り付けられた下部リーダと、該下部リーダの上部に連結されて後面に起伏シリンダが連結される中間リーダと、該中間リーダの上部に連結されて上端部に前記上部スプロケットが取り付けられた長尺用の上部リーダとを有する長尺仕様のリーダから、前記下部リーダのみを使用した短尺仕様のリーダに組み換えるとともに、前記起伏シリンダを長尺用の起伏シリンダから短尺用の起伏シリンダに交換する際には、
前記作業装置を下部リーダまで下降させる段階と、
前記長尺用の起伏シリンダを短縮させて該起伏シリンダと共に前記リーダを前記支軸を回動中心としてベースマシンの上方に傾斜させる段階と、
前記作業装置の上部側に連結された昇降チェーンの一端を取り外し、前記上部スプロケットから昇降チェーンを取り外すとともに、上部リーダから上部スプロケットを取り外す段階と、
前記上部リーダを吊り下げて保持した状態で上部リーダと中間リーダとの連結を解除した後、上部リーダを吊り上げて中間リーダから取り外すとともに、中間リーダの上端部にチェーンストッパを取り付けて前記昇降チェーンを仮止めする段階と、
前記ベースマシンにシリンダサポートを設置する段階と、
前記支軸より下方のベースマシンの前部にリーダサポートを取り付ける段階と、
前記下部リーダの下部を吊り下げて下部リーダと中間リーダとの連結体の傾斜状態を保持しながら、中間リーダの後面から前記起伏シリンダを取り外し、前記シリンダサポートによって起伏シリンダを支持する段階と、
下部リーダの下部を前記リーダサポートにて支持する段階と、
前記中間リーダを吊り下げて保持した状態で中間リーダと下部リーダとの連結を解除し、中間リーダの上端部からチェーンストッパを取り外し、中間リーダを吊り上げて下部リーダから取り外すとともに、下部リーダの上端部にチェーンストッパを取り付けて前記昇降チェーンを仮止めするとともに、該昇降チェーンを短尺仕様のリーダに対応した長さに調節する段階と、
前記長尺用の起伏シリンダをベースマシンから取り外した後、短尺用の起伏シリンダをベースマシンに取り付けて前記シリンダサポートによって支持する段階と、
下部リーダの上端部からチェーンストッパを取り外すとともに下部リーダの上端部に上部スプロケットを取り付け、該上部スプロケットに昇降チェーンを掛け回して一端を前記作業装置の上部側に連結する段階と、
下部リーダの後面に起伏シリンダを連結する段階と、
下部リーダのみからなる短尺仕様のリーダを短尺用の起伏シリンダにて支持した状態で前記リーダサポート及び前記シリンダサポートをベースマシンから取り外す段階と
を含むことを特徴としている。
【発明の効果】
【０００８】
本発明の杭打機のリーダ組換方法によれば、リーダの組換時には、ベースマシンの前部に回動可能に取り付けられた下部リーダをリーダサポートで支持しているので、中間リーダや上部リーダなどを着脱する際に下部リーダをクレーンなどで傾斜状態に支持する必要がなく、起伏シリンダはシリンダサポートで支持するようにしているので、起伏シリンダとリーダとの連結を解除しても起伏シリンダがベースマシン上に倒れることはない。また、昇降チェーンは、リーダの組み換え作業を行う際に、チェーンストッパにて仮止めしておくことで昇降チェーンがリーダ内に入り込んでしまったり、作業の支障となったりすることを防止できる。
【発明を実施するための最良の形態】
【０００９】
図１乃至図２４は本発明の杭打機のリーダ組換方法の一形態例を示すもので、杭打機のリーダを標準の長尺仕様（標準リーダ）から短尺仕様（短尺リーダ）に組み換える各段階を示す説明図である。
【００１０】
まず、図１乃至図３は、標準リーダを備えた杭打機の作業時の状態を示している。この杭打機１１は、クローラを備えた走行部１２ａと、該走行部１２ａ上に旋回可能に設けられた上部旋回体１２ｂとで構成されたベースマシン１３と、該ベースマシン１３の前部に起伏可能に設けられた標準リーダ１４と、該標準リーダ１４を後方から支持する標準リーダ用の起伏シリンダ１５とを備えている。ベースマシン１３の前部には、標準リーダ１４を起伏可能に支持するフロントブラケット１６が設けられ、該フロントブラケット１６には起伏シリンダ１５の基部が回動可能に取り付けられるシリンダ取付部１７が設けられている。さらに、ベースマシン１３の前部上方には、油圧配管を支持する配管支持部材１８が設けられている。
【００１１】
標準リーダ１４は、前記フロントブラケット１７に設けられたベースマシン幅方向の支軸１９に回動可能に取り付けられた下部リーダ２１と、該下部リーダ２１の上部に連結される中間リーダ２２と、該中間リーダ２２の上部に連結される上部リーダ２３とに分割形成され、さらに、前記中間リーダ２２は、中間第１部材２２ａと中間第２部材２２ｂとに分割形成され、上部リーダ２３は上部第１部材２３ａと上部第２部材２３ｂとに分割形成されている。これらの各リーダ部材は、それぞれボルト・ナットを使用したフランジ部材によって着脱可能に連結されている。
【００１２】
起伏シリンダ１５のシリンダロッド１５ａの先端部と中間リーダ２２とは、中間第２部材２２ｂの後面に設けられたシリンダブラケット２２ｃに接続ピンを介して回動可能に連結されている。また、上部リーダ２３の上端部にはトップシーブ２４が、下部リーダ２１の下端部にはロアガイド２５がそれぞれ装着されており、標準リーダ１４の前面にはオーガ駆動装置などの作業装置２６が昇降可能に装着されるとともに、該作業装置２６を昇降させるためのチェーン式の昇降装置２７が設けられている。
【００１３】
作業装置２６は、標準リーダ１４の両側に設けられた一対のガイドパイプ２８を作業装置２６の後部側に設けたガイドギブ２９で把持した状態で標準リーダ１４に沿って昇降するもので、作業装置２６の上下には、下部リーダ２１の下端部に設けられた駆動スプロケット３０と、前記トップシーブ２４に設けられた従動スプロケット３１との間に掛け渡された昇降チェーン３２の両端がそれぞれ取り付けられている。チェーン式の昇降装置２７は、駆動スプロケット３０を油圧モータによって駆動し、該駆動スプロケット３０と従動スプロケット３１とに掛け回された昇降チェーン３２を上下方向に移動させることにより、標準リーダ１４に沿って作業装置２６を昇降させるもので、トップシーブ２４の上部には、従動スプロケット３１から昇降チェーン３２が外れることを防止するためのチェーンカバー３３が取り付けられている。
【００１４】
この杭打機１１に設けられている前記標準リーダ１４を短尺仕様のリーダに組み換えるには、まず、作業装置２６を下部リーダ２１の下部まで下降させた後、起伏シリンダ１５を短縮させて該起伏シリンダ１５と共に標準リーダ１４をベースマシン１３の上方に傾斜させる。次いで、作業装置２６の上部側に連結された昇降チェーン３２の一端を取り外すとともに、トップシーブ２４の上部からチェーンカバー３３を取り外した後、従動スプロケット３１から昇降チェーン３２を取り外し、従動スプロケット３１と共にトップシーブ２４を上部リーダ２３から取り外す。次に、上部リーダ２３の両端部に吊り具３４，３４をそれぞれ取り付け、該吊り具３４，３４にクレーンのワイヤ３５を取り付けて上部リーダ２３が落下しないように保持した状態で、中間リーダ２２と上部リーダ２３との連結を解除する。そして、クレーンを操作して中間リーダ２２から上部リーダ２３を僅かに分離させた状態とし、中間リーダ２２と上部リーダ２３との間に現れた昇降チェーン３２の中間部にチェーンストッパ３６を挿入し、該チェーンストッパ３６を中間リーダ２２の上端部に取り付けて昇降チェーン３２を仮止めし、昇降チェーン３２が中間リーダ２２の内部に引き込まれることを防止した後、図４に示すように、上部リーダ２３を吊り上げて取り外す。
【００１５】
チェーンストッパ３６は、図５に示すように、リーダ部材上端のフランジ部分に係合する係合部３６ａと、昇降チェーン３２のピン間に挿入される係止棒３６ｂとからなるもので、係止棒３６ｂを昇降チェーン３２のピン間に挿入して係合部３６ａをリーダ部材上端のフランジ部分上部に係合させることにより、係止棒３６ｂが昇降チェーン３２のピン間を貫通して係止棒３６ｂの下端部がリーダ部材上端面に当接して昇降チェーン３２の移動を規制する。チェーンストッパ３６で仮止めされた昇降チェーン３２は、標準リーダ１４の長さのまま上部リーダ２３内から下方に抜き取られ、チェーン上部側はベースマシン後方の適宜な位置に仮置きされる。
【００１６】
この状態から、図６に示すように、起伏シリンダ１５を伸長させて連結状態の下部リーダ２１と中間リーダ２２とを起立させ、ベースマシン１３の上方空間を開放し、ベースマシン１３の上面所定位置にシリンダサポート３７を設置する。このシリンダサポート３７は、起伏シリンダ１５の傾斜角度に対応した角度を有するシリンダ受け部３７ａと、これを所定高さに保持する脚部３７ｂとからなるもので、脚部３７ｂがベースマシン１３の上面に、ボルト結合、凹凸嵌合等の適宜な固定手段によって固定される。このシリンダサポート３７の形状は、標準シリンダ用の起伏シリンダ１５及び短尺リーダ用の起伏シリンダを所定角度で支持できればよく、ベースマシン１３の上面の状態等に応じて任意に設定することができる。
【００１７】
次に、図７に示すように、起伏シリンダ１５をシリンダサポート３７に当接する状態になるまで短縮させ、起伏シリンダ１５と共に連結状態の下部リーダ２１と中間リーダ２２とをベースマシン１３の上方に倒伏させた後、前記支軸１９より下方のベースマシン前部に第１リーダサポート３８及び第２リーダサポート３９を取り付ける。図８及び図９に示すように、第１リーダサポート３８はベースマシン１３の前面に固着され、第２リーダサポート３９は、第１リーダサポート３８の先端に設けた第１弾性部材３８ａを介して連結され、第２リーダサポート３９の先端には第２弾性部材３９ａが設けられている。また、第１リーダサポート３８の先端下部には、後述のように下部リーダ２１を固定するために用いるリーダ固定アーム４０の基部を取り付けるためのアーム取付部３８ｂが設けられている。前記第１弾性部材３８ａ及び第２弾性部材３９ａの先端面は、所定角度に傾斜させた状態の下部リーダ２１の後面に当接するように、下部リーダ２１の傾斜角度に対応した角度が付けられている。
【００１８】
このようにしてベースマシン１３の前面にリーダサポート３８を取り付けた後、図１０に示すように、下部リーダ２１の下部側、例えば前記ロアガイド２５にクレーンのワイヤ３５を連結し、ロアガイド２５を補助吊りして連結状態の下部リーダ２１と中間リーダ２２とを傾斜状態に保持しながら、起伏シリンダ１５のシリンダロッド１５ａと中間第２部材２２ｂの後面に設けられたシリンダブラケット２２ｃとの連結を解除し、起伏シリンダ１５をシリンダサポート３７にて支持した状態とする。
【００１９】
次に、図１１に示すように、補助吊りしている下部リーダ２１の下端部を下降させて下部リーダ２１の下部後面を前記第２弾性部材３９ａに当接させ、リーダサポート３８にて下部リーダ２１の起立方向への回動を規制するとともに、前記固定リーダ固定アーム４０の先端に設けられている係止片４０ａをガイドパイプ２８の下端開口に挿入してリーダ固定アーム４０の基部を前記アーム取付部３８ｂに取り付けることにより、下部リーダ２１の倒伏方向への回動を規制する。
【００２０】
次に、図１２に示すように、クレーンのワイヤ３５を、前記ロアガイド２５から中間リーダ２２の両端部に取り付けた吊り具３４，３４に付け替えた後、下部リーダ２１と中間リーダ２２との連結を解除するとともに、前記昇降チェーン３２を仮止めしているチェーンストッパ３６を中間リーダ２２の上端から下部リーダ２１の上端に移し、昇降チェーン３２をチェーンストッパ３６にて下部リーダ２１の上端部に仮止めした状態で中間リーダ２２を吊り上げて下部リーダ２１から取り外す。
【００２１】
上述の各段階を終えることにより、杭打機１１は、標準リーダ１４を構成する上部リーダ２３と中間リーダ２２とが全て取り外された状態となる。これにより、起伏シリンダ１５の上方が開放された状態になるので、図１３に示すように、シリンダサポート３７に支持されている起伏シリンダ１５を吊り上げてベースマシン１３から取り外すとともに、昇降チェーン３２を短尺リーダ５０に応じた長さに調整する。これにより、ベースマシン１３の前部には、下部リーダ２１のみが取り付けられている状態になる。
【００２２】
起伏シリンダ１５は、例えば図１４に示すように、フロントブラケット１６のシリンダ取付部１７に突設された一対の軸受片１７ａ，１７ａの間に、起伏シリンダ１５の基部に設けられた取付部１５ｂを挿入し、シリンダ取付軸４１を軸受片１７ａ，１７ａと取付部１５ｂとに設けられた通孔に挿通することによってベースマシン１３に起伏可能に取り付けられている。起伏シリンダ１５を取り外す際には、シリンダ取付軸４１を一方の軸受片１７ａ側にスライドさせ、取付部１５ｂの通孔内からシリンダ取付軸４１を抜き取ることにより、軸受片１７ａ，１７ａと起伏シリンダ１５との連結が解除されるので、起伏シリンダ１５の基部を軸受片１７ａ，１７ａ間から抜き取ることができる。また、シリンダ取付軸４１を一方の軸受片１７ａに取り付けた状態のままとしておくことにより、起伏シリンダ１５を着脱する際の作業性を向上できる。さらに、一方の軸受片１７ａの外側部材とシリンダ取付軸４１とには、シリンダ取付軸４１を抜け止めするための抜け止めピンを挿入する通孔１７ｂ，４１ａがそれぞれ設けられている。
【００２３】
次に、図１５に示すように、短尺仕様のリーダに対応した長さの起伏シリンダ５１を吊り込み、基部をシリンダ取付部１７に回動可能に取り付けるとともに、上部側をシリンダサポート３７に支持させた後、図１６に示すように、短尺仕様の上部リーダ５２を吊り込みながら、該上部リーダ５２内に前記昇降チェーン３２を送り込み、昇降チェーン３２をチェーンストッパ３６にて上部リーダ５２の上端部に仮止めするとともに、上部リーダ５２の下端部と下部リーダ２１とを連結して短尺仕様のリーダ（短尺リーダ）５０を形成する。
【００２４】
そして、図１７に示すように、チェーンストッパ３６を上部リーダ５２の上端部から取り外し、上部リーダ５２の上部に短尺仕様のトップシーブ５３を吊り込みながら、昇降チェーン３２をトップシーブ５３に送り込み、図１８に示すように、トップシーブ５３に設けられた従動スプロケット５４に昇降チェーン３２を掛け回し、昇降チェーン３２の一端を作業装置２６の上部側に連結する。
【００２５】
次に、図１９に示すように、前記ロアガイド２５にクレーンのワイヤ３５を連結して補助吊りし、前記第１リーダサポート３８から第２リーダサポート３９とリーダ固定アーム４０とを取り外し、図２０に示すように、下部リーダ２１の後面が第１リーダサポート３８の第１弾性部材３８ａに当接するまで、連結状態の下部リーダ２１と上部リーダ５２とからなる短尺リーダ５０を起立させた後、第１リーダサポート３８のアーム取付部３８ｂに再びリーダ固定アーム４０を取り付け、該リーダ固定アーム４０の係止片４０ａをガイドパイプ２８の下端開口に挿入することにより、短尺リーダ５０の起伏動作を第１リーダサポート３８とリーダ固定アーム４０とによって規制するとともに、起伏シリンダ５１をワイヤ３５で起立させることが可能な状態とする。
【００２６】
この状態で、図２１に示すように、クレーンのワイヤ３５をロアガイド２５から取り外し、前記ワイヤ３５を前記シリンダサポート３７に支持されている起伏シリンダ５１の先端部に連結し、起伏シリンダ５１を起立させるとともに、該起伏シリンダ５１のシリンダロッド５１ａを伸ばし、該シリンダロッド５１ａの先端を、前記トップシーブ５３の後部側に設けられたシリンダブラケット５５に連結し、短尺リーダ５０を起伏シリンダ５１によって支持した状態とした後、図２２に示すように、起伏シリンダ５１からワイヤ３５を取り外し、さらに、リーダ固定アーム４０と第１リーダサポート３８とを取り外して短尺リーダ５０を起伏可能な状態とする。
【００２７】
これにより、ベースマシン１３に短尺リーダ５０と起伏シリンダ５１とが装着された状態になるので、最後に、図２３に示すように、前記起伏シリンダ５１を伸長して短尺リーダ５０を鉛直状に起立させ、昇降チェーン３２の張り調整を行うことにより、短尺リーダ５０を使用した施工が可能な状態となる。
【００２８】
このように、チェーン式の昇降装置を備えた杭打機１１において、図１乃至図３に示す標準リーダ１４を装着した状態から、図４乃至図２３に示すような各段階を順次行うことにより、１台のクレーンを用いるだけで、標準仕様のリーダ１４及び起伏シリンダ１５を短尺仕様のリーダ５０及び起伏シリンダ５１に組み換えることができる。
【００２９】
このような短尺リーダ５０を装着した杭打機は、図２４に示すように、作業装置２６を下部リーダ２１の下端まで下降させた後、起伏シリンダ５１を短縮させて短尺リーダ５０を起伏シリンダ５１と共にベースマシン１３上に倒伏させることにより、輸送状態にすることができる。なお、本形態例では、この輸送状態において、起伏シリンダ５１とシリンダサポート３７とが当接することがないので、シリンダサポート３７をベースマシン１３から取り外していないが、シリンダサポート３７をベースマシン１３から取り外してもよい。
【００３０】
図２５乃至図３３は、本発明の他の形態例を示すもので、前述の短尺リーダ５０よりも更に短い仕様のリーダに組み換える各段階を示す説明図である。なお、前記形態例と同様の構成要素を示すものには、同一の符号を付して、その詳細な説明は省略する。
【００３１】
まず、図２５に示すように、前記形態例における図１５に示す段階で取り付けた短尺仕様の起伏シリンダ５１に代えて、更に短尺仕様のリーダに対応した長さを有する短尺用起伏シリンダ６１を取り付ける。すなわち、上部リーダ２３、中間リーダ２２及び起伏シリンダ１５の取り外しは前記同様に行い、チェーンストッパ３６にて下部リーダ２１の上端部に仮止めされている昇降チェーン３２の長さを調整した後、前記短尺仕様の起伏シリンダ５１よりも短い短尺用起伏シリンダ６１を吊り込んで基部をシリンダ取付部１７に回動可能に取り付けるとともに、上端部をシリンダサポート３７に支持させる。
【００３２】
次に、図２６に示すように、下部リーダ２１の上端部からチェーンストッパ３６を取り外し、下部リーダ２１の上部に、前記同様の短尺仕様のトップシーブ５３を吊り込みながら、昇降チェーン３２をトップシーブ５３に送り込んで従動スプロケット５４に掛け回すとともに、昇降チェーン３２の一端を作業装置２６の上部側に連結し、図２７に示すように、起伏シリンダ６１がシリンダサポート３７に支持され、下部リーダ２１が第１リーダサポート３８、第２リーダサポート３９及びリーダ固定アーム４０で固定された状態とする。
【００３３】
そして、図２８に示すように、前記ロアガイド２５にクレーンのワイヤ３５を連結して補助吊りし、前記第１リーダサポート３８から第２リーダサポート３９とリーダ固定アーム４０とを取り外し、図２９に示すように、下部リーダ２１の後面が第１リーダサポート３８の第１弾性部材３８ａに当接するまで下部リーダ２１を起立させた後、第１リーダサポート３８のアーム取付部３８ｂにリーダ固定アーム４０を取り付けて下部リーダ２１の起伏動作を規制する。
【００３４】
この状態で、図３０に示すように、ロアガイド２５からクレーンのワイヤ３５を取り外し、該ワイヤ３５を前記シリンダサポート３７に支持されている起伏シリンダ６１の先端部に連結し、起伏シリンダ６１を起立させるとともに、該起伏シリンダ６１のシリンダロッド６１ａを伸ばし、シリンダロッド６１ａの先端を前記トップシーブ５３に設けられたシリンダブラケット５５に連結する。そして、図３１に示すように、起伏シリンダ６１の先端部からワイヤ３５を取り外すとともに、リーダ固定アーム４０と第１リーダサポート３８を取り外す。
【００３５】
最後に、図３２に示すように、前記起伏シリンダ６１を伸長させて下部リーダ２１を鉛直状に起立させ、昇降チェーン３２の張り調整を行うことにより、下部リーダ２１のみからなる最も短尺な状態で杭を施工可能な作業状態となる。また、図３３に示すように、起伏シリンダ６１を短縮させて前記下部リーダ２１を起伏シリンダ６１とともにベースマシン１３上に倒伏させることにより、輸送状態にすることができる。
【００３６】
なお、配管支持部材１８は、図２４及び図３３に示すように、ベースマシン１３上に倒伏させた状態としておけばよい。また、短尺仕様のリーダの杭打機を、図１乃至図３に示すような標準リーダ仕様の杭打機に組み換える際には、上記各段階を逆に行えばよく、図２３及び図２４に示す短尺仕様と図３２及び図３３に示す短尺仕様との組換も前記各段階を所定の順序で行うことによって容易に行うことができる。さらに、各リーダ部材の分割数や分割位置は任意であり、各部の構造や形状も任意である。また、起伏シリンダは、各短尺リーダ構造毎に専用の短尺用起伏シリンダを使用してもよいが、例えば２段伸縮シリンダなどを使用して複数の短尺リーダ構造に対応できるようにしてもよい。
【図面の簡単な説明】
【００３７】
【図１】標準リーダを備えた杭打機の正面図である。
【図２】同じく側面図である。
【図３】同じく平面図である。
【図４】標準リーダを倒伏させ上部リーダを取り外した段階を示す正面図である。
【図５】チェーンストッパをリーダ部材上端に係合した状態を示す説明図である。
【図６】ベースマシン上にシリンダサポートを設置した段階を示す正面図である。
【図７】起伏シリンダをシリンダサポートにて支持し、ベースマシンに第１リーダサポートと第２リーダサポートとを連結した段階を示す正面図である。
【図８】ベースマシンに第１リーダサポートと第２リーダサポートとリーダ固定アームを取付状体を示す説明図である。
【図９】図８のIX-IX断面図である。
【図１０】ロアガイドを補助吊りした段階を示す正面図である。
【図１１】起伏シリンダと中間リーダとの連結を解除し、下部リーダと中間リーダとをリーダサポートとリーダ固定アームとで支持した段階を示す正面図である。
【図１２】下部リーダから中間リーダ取り外した段階を示す正面図である。
【図１３】起伏シリンダをベースマシンから取り外した段階を示す正面図である。
【図１４】図１３のXIV−XIV断面図である。
【図１５】ベースマシンに短尺リーダ用の起伏シリンダを取り付けリーダサポートに支持させた段階を示す正面図である。
【図１６】下部リーダに短尺リーダ用の上部リーダを連結した段階の正面図である。
【図１７】上部リーダの上部にトップシーブを連結した段階を示す正面図である。
【図１８】昇降チェーンをトップシーブのスプロケットに掛け渡し作業装置に連結した段階を示す正面図である。
【図１９】ロアガイドを補助吊りして第２リーダサポートとリーダ固定アームとを取り外した段階を示す正面図である。
【図２０】短尺リーダを起立させて第１リーダサポートに支持させリーダ固定アームを取り付けた段階を示す正面図である。
【図２１】トップシーブのシリンダブラケットと起伏シリンダのシリンダロッドとを連結した段階を示す正面図である。
【図２２】ベースマシンから第１リーダサポートとリーダ固定アームとを取り外した段階を示す正面図である。
【図２３】短尺リーダを鉛直状に起立させ昇降チェーンの張り調整を行う段階を示す正面図である。
【図２４】短尺リーダを輸送状態とした段階を示す正面図である。
【図２５】起伏シリンダをさらに短尺なリーダ用の起伏シリンダに交換した段階を示す正面図である。
【図２６】下部リーダの上部にトップシーブを取り付けた段階を示す正面図である。
【図２７】昇降チェーンをトップシーブのスプロケットに掛け渡し作業装置に連結した段階を示す正面図である。
【図２８】ロアガイドを補助吊りして第２リーダサポートとリーダ固定アームとを取り外した段階を示す正面図である。
【図２９】下部リーダを起立させて第１リーダサポートに支持させリーダ固定アームを取り付けた段階と示す正面図である。
【図３０】トップシーブのシリンダブラケットと起伏シリンダのシリンダロッドとを連結した段階を示す正面図である。
【図３１】ベースマシンから第１リーダサポートとリーダ固定アームとを取り外した段階を示す正面図である。
【図３２】下部リーダを鉛直状に起立させ、昇降チェーンの張り調整を行う段階を示す正面図である。
【図３３】下部リーダを輸送状態とした段階を示す正面図である。
【符号の説明】
【００３８】
１１…杭打機、１２ａ…走行部、１２ｂ…上部旋回体、１３…ベースマシン、１４…標準リーダ、１５…起伏シリンダ、１５ａ…シリンダロッド、１５ｂ…取付部、１６…フロントブラケット、１７…シリンダ取付部、１７ａ…軸受片、１７ｂ…通孔、１８…配管支持部材、１９…支軸、２１…下部リーダ、２２…中間リーダ、２２ａ…中間第１部材、２２ｂ…中間第２部材、２２ｃ…シリンダブラケット、２３…上部リーダ、２３ａ…上部第１部材、２３ｂ…上部第２部材、２４…トップシーブ、２５…ロアガイド、２６…作業装置、２７…昇降装置、２８…ガイドパイプ、２９…ガイドギブ、３０…駆動スプロケット、３１…従動スプロケット、３２…昇降チェーン、３３…チェーンカバー、３４…吊り具、３５…ワイヤ、３６…チェーンストッパ、３７…シリンダサポート、３７ａ…シリンダ受け部、３７ｂ…脚部、３８…第１リーダサポート、３８ａ…第１弾性部材、３８ｂ…アーム取付部、３９…第２リーダサポート、３９ａ…第２弾性部材、４０…リーダ固定アーム、４０ａ…係止片、４１…シリンダ取付軸、４１ａ…通孔、５０…短尺リーダ、５１…起伏シリンダ、５１ａ…シリンダロッド、５２…上部リーダ、５３…トップシーブ、５４…従動スプロケット、５５…シリンダブラケット、６１…起伏シリンダ、６１ａ…シリンダロッド
【図１】
2010047995.tif 000003
【図２】
2010047995.tif 000004
【図３】
2010047995.tif 000005
【図４】
2010047995.tif 000006
【図５】
2010047995.tif 000007
【図６】
2010047995.tif 000008
【図７】
2010047995.tif 000009
【図８】
2010047995.tif 000010
【図９】
2010047995.tif 000011
【図１０】
2010047995.tif 000012
【図１１】
2010047995.tif 000013
【図１２】
2010047995.tif 000014
【図１３】
2010047995.tif 000015
【図１４】
2010047995.tif 000016
【図１５】
2010047995.tif 000017
【図１６】
2010047995.tif 000018
【図１７】
2010047995.tif 000019
【図１８】
2010047995.tif 000020
【図１９】
2010047995.tif 000021
【図２０】
2010047995.tif 000022
【図２１】
2010047995.tif 000023
【図２２】
2010047995.tif 000024
【図２３】
2010047995.tif 000025
【図２４】
2010047995.tif 000026
【図２５】
2010047995.tif 000027
【図２６】
2010047995.tif 000028
【図２７】
2010047995.tif 000029
【図２８】
2010047995.tif 000030
【図２９】
2010047995.tif 000031
【図３０】
2010047995.tif 000032
【図３１】
2010047995.tif 000033
【図３２】
2010047995.tif 000034
【図３３】
2010047995.tif 000035